(57)【特許請求の範囲】
【請求項１】
前後に間隔をあけて配置された左右に長尺な２本の母屋材の上にそれぞれタイトフレームを固着し、これらタイトフレームを固着した２本の母屋材の上に架け渡すように、金属板からなる金属折板屋根材と透光性の合成樹脂板からなる樹脂折板屋根材とを取り付けた屋根構造において、
前記２本の母屋材の間に配置され、下部から右方向に支持部が突出する金属製の左側受材の上部から前後方向にそれぞれ突出する係止部を、前記２本の母屋材の上に固着したタイトフレームにおける樹脂折板屋根材の左端の山部又はこの左端よりも左側の山部にそれぞれ係止すると共に、
前記２本の母屋材の間であって前記左側受材の右側に配置され、下部から左方向に支持部が突出する金属製の右側受材の上部から前後方向にそれぞれ突出する係止部を、前記２本の母屋材の上に固着したタイトフレームにおける樹脂折板屋根材の右端の山部又はこの右端よりも右側の山部にそれぞれ係止し、
透光性の不燃材料からなる透光不燃材の左右の端部を前記左側受材と右側受材の支持部で支持したことを特徴とする屋根構造。
【請求項２】
前記各母屋材の上を前後に跨いで前記左側受材と右側受材との間の左右位置に固着され、この母屋材を跨いだ前側の下部からは前方に、後側の下部からは後方にそれぞれ支持部が突出する金属製の前後受材が用いられ、
前記透光不燃材の前後の端部をこれら前後受材の支持部で支持したことを特徴とする請求項１に記載の屋根構造。
【請求項３】
前記２本の母屋材の間であって前記左側受材と右側受材との間に配置された前後に長尺な受材であって、下部から左右方向に支持部がそれぞれ突出する金属製の左右ジョイント受材の前の端部を前方の前後受材の後の支持部に係止すると共に、この左右ジョイント受材の後の端部を後方の前後受材の前の支持部に係止し、
前記透光不燃材を左右に分割し、これら分割した透光不燃材の左右で隣り合う側の端部をこの左右ジョイント受材の左右の支持部でそれぞれ支持したことを特徴とする請求項２に記載の屋根構造。
【請求項４】
前記２本の母屋材の間であって前記左側受材と右側受材との間に配置された左右に長尺な受材であって、下部から前後方向に支持部がそれぞれ突出する金属製の前後ジョイント受材の左の端部を左側受材の支持部に係止すると共に、この前後ジョイント受材の右の端部を右側受材の支持部に係止し、
前記透光不燃材を前後に分割し、これら分割した透光不燃材の前後で隣り合う側の端部をこの前後ジョイント受材の前後の支持部でそれぞれ支持したことを特徴とする請求項１乃至請求項３のいずれかに記載の屋根構造。
【請求項５】
前記透光不燃材が網入りガラスであることを特徴とする請求項１乃至請求項４のいずれかに記載の屋根構造。
【発明の詳細な説明】
【技術分野】
【０００１】
本発明は、採光部を備えた折板屋根において、火災等の際の飛び火に対する防火安全性を高めた構造を提供する屋根構造に関するものである。
【背景技術】
【０００２】
工場や倉庫等の屋根に用いられる折板屋根に採光部を設ける場合、鋼板からなる金属折板屋根材の一部を透明な合成樹脂板からなる樹脂折板屋根材に置き替えることが考えられる。しかしながら、樹脂折板屋根材は、火災等の際に飛び火が飛来すると樹脂が溶融して孔があき、この孔から飛び火が屋内に入り込んだり、溶融した樹脂が屋内に落下するために、防火安全性に問題がある。
【０００３】
そこで、従来は、金属折板屋根材の一部をガラス板に置き替えた発明がなされていた（例えば、特許文献１参照。）。ところが、ガラス板を金属折板屋根材の間に嵌め込む場合には、このガラス板を水密構造で取り付ける必要があるため、構造が複雑となり施工が面倒になるという問題があった。しかも、ガラス板は、変形による応力に耐えられず破損しやすいため、応力を受け止めガラスに伝えないような強固で精度の高い枠材を設けることが必要がとなり、これによっても構造が複雑となり高価になるという問題があった。さらに、ガラス板は、不燃性は高いが耐衝撃性が低いために、強風等で屋根に物が飛来すると破損しやすく、一旦破損した場合には修理作業が面倒になるという問題もあった。
【０００４】
また、従来は、金属折板屋根材の一部を、透光性の合成樹脂板の裏面に透光性と不燃性を有する透光不燃板を積層一体化した強化透光折板屋根材に置き替えた発明もなされていた（例えば、特許文献２参照。）。この強化透光折板屋根材は、合成樹脂板がガラス板等の透光不燃板に比べてある程度の耐衝撃性があり、この合成樹脂板に飛び火によって孔があいても、裏面の透光不燃板が飛び火や溶融樹脂を遮蔽することができるので、防火安全性が高い。ところが、この強化透光折板屋根材は、合成樹脂板の裏面に透光不燃板を積層一体化した複雑な構造であるため、単なる鋼板や合成樹脂板だけからなる折板屋根材に比べて製造コストが極めて高価になるという問題があった。
【特許文献２】特開２００４−１６９５０７号公報
【特許文献１】特開２００７−９５２３号公報
【発明の開示】
【発明が解決しようとする課題】
【０００５】
本発明は、簡単な構造の受材を用いて合成樹脂板からなる樹脂折板屋根材の下方に透光不燃材を配置することにより、防火安全性が高く安価で施工も容易となる屋根構造を提供しようとするものである。
【課題を解決するための手段】
【０００６】
請求項１の発明は、前後に間隔をあけて配置された左右に長尺な２本の母屋材の上にそれぞれタイトフレームを固着し、これらタイトフレームを固着した２本の母屋材の上に架け渡すように、金属板からなる金属折板屋根材と透光性の合成樹脂板からなる樹脂折板屋根材とを取り付けた屋根構造において、前記２本の母屋材の間に配置され、下部から右方向に支持部が突出する金属製の左側受材の上部から前後方向にそれぞれ突出する係止部を、前記２本の母屋材の上に固着したタイトフレームにおける樹脂折板屋根材の左端の山部又はこの左端よりも左側の山部にそれぞれ係止すると共に、前記２本の母屋材の間であって前記左側受材の右側に配置され、下部から左方向に支持部が突出する金属製の右側受材の上部から前後方向にそれぞれ突出する係止部を、前記２本の母屋材の上に固着したタイトフレームにおける樹脂折板屋根材の右端の山部又はこの右端よりも右側の山部にそれぞれ係止し、透光性の不燃材料からなる透光不燃材の左右の端部を前記左側受材と右側受材の支持部で支持したことを特徴とする。
【０００７】
請求項２の発明は、前記各母屋材の上を前後に跨いで前記左側受材と右側受材との間の左右位置に固着され、この母屋材を跨いだ前側の下部からは前方に、後側の下部からは後方にそれぞれ支持部が突出する金属製の前後受材が用いられ、前記透光不燃材の前後の端部をこれら前後受材の支持部で支持したことを特徴とする。
【０００８】
請求項３の発明は、前記２本の母屋材の間であって前記左側受材と右側受材との間に配置された前後に長尺な受材であって、下部から左右方向に支持部がそれぞれ突出する金属製の左右ジョイント受材の前の端部を前方の前後受材の後の支持部に係止すると共に、この左右ジョイント受材の後の端部を後方の前後受材の前の支持部に係止し、前記透光不燃材を左右に分割し、これら分割した透光不燃材の左右で隣り合う側の端部をこの左右ジョイント受材の左右の支持部でそれぞれ支持したことを特徴とする。
【０００９】
請求項４の発明は、前記２本の母屋材の間であって前記左側受材と右側受材との間に配置された左右に長尺な受材であって、下部から前後方向に支持部がそれぞれ突出する金属製の前後ジョイント受材の左の端部を左側受材の支持部に係止すると共に、この前後ジョイント受材の右の端部を右側受材の支持部に係止し、前記透光不燃材を前後に分割し、これら分割した透光不燃材の前後で隣り合う側の端部をこの前後ジョイント受材の前後の支持部でそれぞれ支持したことを特徴とする。
【００１０】
請求項５の発明は、前記透光不燃材が網入りガラスであることを特徴とする。
【発明の効果】
【００１１】
請求項１の発明によれば、金属折板屋根材や樹脂折板屋根材を取り付けるためのタイトフレームの山部に左側受材と右側受材の係止部を係止することにより、これらの左側受材と右側受材の支持部によって透光不燃材を樹脂折板屋根材の下方で支持することができるので、飛び火によって樹脂折板屋根材に孔があいても、この孔を通り抜けた飛び火や溶融した樹脂が屋内に入り込むのを透光不燃材及び受材で防ぐことができ、防火安全性を確保することができる。しかも、透光不燃材は、金属折板屋根材と共に取り付けた樹脂折板屋根材の下方に配置されるので、水密構造を考慮する必要がなく、左側受材と右側受材による簡単な構造で取り付けが可能となる。
【００１２】
請求項２の発明によれば、透光不燃材の左右の端部を左側受材と右側受材の支持部で支持するだけでなく、前後の端部を前後受材の支持部で支持するので、この透光不燃材を左右方向だけでなく前後方向にも確実に支持することができる。
【００１３】
請求項３の発明によれば、透光不燃材の左右方向の長さが長い場合に、この透光不燃材を左右に分割して、左右方向の中間の分割部を左右ジョイント受材の支持部でも支持することができるので、透光不燃材を安定して支持することができる。特に、透光不燃材が網入りガラス等のように耐衝撃性の低いものである場合には、この透光不燃材のサイズが大きくなることによる破損のしやすさを回避することができる。
【００１４】
請求項４の発明によれば、透光不燃材の前後方向の長さが長い場合に、この透光不燃材を前後に分割して、前後方向の中間の分割部を前後ジョイント受材の支持部でも支持することができるので、透光不燃材を安定して支持することができる。特に、透光不燃材が網入りガラス等のように耐衝撃性の低いものである場合には、この透光不燃材のサイズが大きくなることによる破損のしやすさを回避することができる。
【００１５】
請求項５の発明によれば、透光不燃材が網入りガラスであるため、光透過率が高く、何らかの原因で破損したとしても、ガラス破片が飛散したり脱落するようなことがないので、安全性を向上させることができる。
【００１６】
なお、本明細書における左右及び前後の方向は、単に水平面上の互いに直交する方向を示すための便宜的なものであるため、これらの方向は任意に入れ替えることが可能である。
【発明を実施するための最良の形態】
【００１７】
以下、本発明の最良の実施形態について図１〜図９を参照して説明する。
【００１８】
本実施形態は、図１に示すように、母屋材１の上に固着したタイトフレーム２の隣接する山部２ａの頂部間ごとに１枚ずつ金属折板屋根材３を配置すると共に、これらの金属折板屋根材３の１枚を樹脂折板屋根材４に置き替えて採光部とした屋根構造について説明する。
【００１９】
〔金属折板屋根材と樹脂折板屋根材の取り付け構造〕
母屋材１は、屋根に配置される構造材であり、図２に示すように、左右に長尺なＩ形綱又はＨ形綱からなり、前後方向に２本以上（図２では２本だけを示す）が並んで平行に配置されている。また、これらの母屋材１は、図では示していないが、本実施形態の場合には、前方が水下となるように、前方のものほど高さが低く配置されている。なお、この母屋材１は、本実施形態のようなＩ形綱やＨ形綱には限定されず、任意の型綱やその他の材料の構造材が用いられていてもよい。
【００２０】
タイトフレーム２は、左右に細長い鋼板に上下方向の凸部である山部２ａと凹部である谷部を左右方向に交互に形成したものであり、谷部を母屋材１の上面に溶接する等の方法により固着している。また、このタイトフレーム２の山部２ａの頂部には、最も高い頂上よりも少し下がった平坦部が形成されると共にねじ孔が穿設されている。さらに、本実施形態のタイトフレーム２は、図示のような単なる細長い平板状ではなく、実際には、補強のために、長手方向に沿って横断面が半円形となるリブが形成されている。
【００２１】
なお、このタイトフレーム２の山部２ａや谷部の形状は、金属折板屋根材３や樹脂折板屋根材４の折れ曲がり形状に合わせて任意であり、山部２ａの頂部の構成、即ち平坦部やねじ孔の有無も任意である。また、このタイトフレーム２は、図１〜図９では山部２ａが２箇所だけのものを示しているが、さらに多数の山部２ａと谷部が形成されていてもよく、逆に山部２ａが１箇所だけであってもよい。ただし、山部２ａが少ないタイトフレーム２を用いる場合には、各母屋材１ごとに複数のタイトフレーム２を左右方向に連続して並べて固着する。さらに、このタイトフレーム２は、必要な強度が得られるならば、鋼板に限らず、その他の鋼材やステンレス綱等の他の金属材からなるものであってもよく、リブの有無も任意である。
【００２２】
金属折板屋根材３は、鋼板からなり、図１に示すように、上下左右方向に沿った断面の形状が、タイトフレーム２の山部２ａの頂部から谷部を経て隣の山部２ａの頂部に至る形状とほぼ同じ凹凸形状に形成されている。ただし、図１では、右側の金属折板屋根材３は、タイトフレーム２の山部２ａの頂部からその右側の谷部までの一部だけを示し、左側の金属折板屋根材３は、タイトフレーム２の谷部からその右側の山部２ａの頂部に至る一部だけを示している。なお、この金属折板屋根材３は、本実施形態のような鋼板に限らず、アルミニウムやステンレス綱等の他の金属板からなるものであってもよい。
【００２３】
樹脂折板屋根材４は、透光性を有する合成樹脂板からなり、上下左右方向に沿った断面の形状が、タイトフレーム２の山部２ａの頂部から谷部を経て隣の山部２ａの頂部に至る形状とほぼ同じ凹凸形状に形成されている。ここで、透光性とは、可視光を透過する性質をいい、透明に限らず、例えば光を散乱させながら透過するものであってもよく、光の一部を吸収するものであってもよい。また、合成樹脂板としては、光透過率の高いポリカーボネート樹脂やアクリル樹脂の板材が最適であり、ポリエステル樹脂や塩化ビニル樹脂等の他の熱可塑性樹脂も好適に用いられるが、必ずしも熱可塑性樹脂には限定されない。しかも、この合成樹脂板は、合成樹脂に各種添加剤を加えたものからなる板材であってもよく、耐候性層等を設けることにより多層構造となった板材であってもよい。さらに、この合成樹脂板は、合成樹脂にガラス繊維等を含有させた強化樹脂からなる板材であってもよい。
【００２４】
なお、これらの金属折板屋根材３や樹脂折板屋根材４は、本実施形態のように左右方向に凹凸形状が１サイクル分だけが形成されたものに限らず、さらに多くの凹凸形状が形成されていてもよい。また、これらの金属折板屋根材３や樹脂折板屋根材４の前後方向の長さは、少なくとも２本の母屋材１の上に架け渡すことができる長さがあればよく、３本以上の母屋材１の上に架け渡すような長さがあってもよい。
【００２５】
上記金属折板屋根材３は、前後に並ぶ複数本の母屋材１の上に、左右に並べて載置される。この際、各金属折板屋根材３は、母屋材１の上に固着されたタイトフレーム２の山部２ａの頂部と隣の山部２ａの頂部との間の上に載置され、タイトフレーム２の各山部２ａの頂部に取り付けられた前後に長尺な金属製の吊子５を介して、隣接する他の金属折板屋根材３と端部同士をかしめることにより連結される。また、これらの金属折板屋根材３は、１枚だけを上記樹脂折板屋根材４と置き替えて配置することにより、この部分を折板屋根の採光部としている。従って、この樹脂折板屋根材４も、左右の端部を吊子５を介して隣接する金属折板屋根材３の端部とそれぞれかしめることにより連結される。金属折板屋根材３や樹脂折板屋根材４は、このように端部同士を吊子５を介してかしめることにより水密構造となる。
【００２６】
ただし、図１の左側の吊子５は、金属折板屋根材３の端部同士ではなく、金属折板屋根材３の端部とは材質や厚さの異なる樹脂折板屋根材４の端部が覆うようにしてかしめられるので、通常の吊子５とは異なり、厚さの薄い金属製であり、前後に短いものをタイトフレーム２の山部２ａごとに取り付けたものを用いている。しかも、この図１の左側の吊子５による金属折板屋根材３と樹脂折板屋根材４の端部同士のかしめ部は、水密構造を確実にするために、前後に長尺なアルミニウム板からなるキャップ部材で覆っている。
【００２７】
なお、金属折板屋根材３や樹脂折板屋根材４の水密構造は、必ずしも吊子５を介したかしめによるものに限らず、他の連結手段によって水密構造とすることもできる。また、樹脂折板屋根材４は、本実施形態のように１枚だけを金属折板屋根材３と置き替えるのではなく、連続する複数枚の金属折板屋根材３と置き替えたり、連続しない複数枚の金属折板屋根材３と置き替えるようにしてもよい。
【００２８】
〔透光不燃板の支持構造〕
上記屋根構造において、樹脂折板屋根材４の下方に透光不燃板６を配置するための支持構造を説明する。なお、図２〜図７及び図９では、２本の母屋材１の間の支持構造のみを説明するが、樹脂折板屋根材４を３本以上の母屋材１の上に架け渡す場合には、これらの母屋材１の間ごとに同様の支持構造が構成される。
【００２９】
図２〜図９では、母屋材１ごとに山部２ａが２箇所のタイトフレーム２を１個だけ示しているが、この左右に連続して固着される他のタイトフレーム２は図示を省略している。これら図２〜図９で示した山部２ａが２箇所のタイトフレーム２は、図１に示す双方の山部２ａの頂部の間に樹脂折板屋根材４を配置したものである。そして、図２に示すように、２本の母屋材１の間におけるこれらのタイトフレーム２の左右方向の位置に、２枚の透光不燃板６が前後に並べて配置される。また、これら２枚の透光不燃板６の左右には、左側受材７と右側受材８が配置される。そして、２本の母屋材１の上におけるタイトフレーム２の固着位置の下にはそれぞれ前後受材９が配置される。さらに、２枚の透光不燃板６の間の下には前後ジョイント受材１０が配置される。なお、図２は組立図であるため、母屋材１以外の部材は全て上方に変位させて示している。
【００３０】
透光不燃板６は、透光性を有する不燃材料からなる板状の透光不燃材であり、本実施形態では方形の網入りガラスからなる。なお、ここでの透光性も、樹脂折板屋根材４の場合と同じであり、透明も含む。
【００３１】
左側受材７は、前後の長さが２本の母屋材１の間とほぼ同じで、上下がタイトフレーム２の山部２ａの高さより少し長いほぼ方形の金属板であり、上端部を右方向に直角に折り曲げると共に、この折り曲げた部分を前後方向にさらに突出させてそれぞれ係止部７ａとしている。また、この左側受材７の下端部は、母屋材１との干渉を避けるために前後の隅部をそれぞれ切り欠くと共に、この前後を切り欠いた部分の下部を右方向に直角に折り曲げて支持部７ｂを形成している。前後の係止部７ａは、母屋材１の上に固着したタイトフレーム２の山部２ａに係止されるものであり、係止のための孔が形成されている。支持部７ｂは、２枚の透光不燃板６の左の端部をそれぞれ支持するものである。
【００３２】
右側受材８も、前後の長さが２本の母屋材１の間とほぼ同じで、上下がタイトフレーム２の山部２ａの高さより少し長いほぼ方形の金属板である。そして、上端部を左方向に直角に折り曲げると共に、この折り曲げた部分を前後方向にさらに突出させてそれぞれ係止部８ａとしている。また、この右側受材８の下端部は、母屋材１との干渉を避けるために前後の隅部をそれぞれ切り欠くと共に、この前後を切り欠いた部分の下部を左方向に直角に折り曲げて支持部８ｂを形成している。前後の係止部８ａは、母屋材１の上に固着したタイトフレーム２の山部２ａに係止されるものであり、係止のための孔が形成されている。支持部８ｂは、２枚の透光不燃板６の右の端部をそれぞれ支持するものである。
【００３３】
上記左側受材７と右側受材８は、軽量化を図るためにアルミニウムやアルミニウム合金の板材を用いることが好ましい。また、鉄板でもよく、耐食性を重視する場合にはステンレス綱板を用い、耐火性を重視する場合には鋼板を用いればよい。さらに、これらの左側受材７と右側受材８は、本実施形態のようなほぼ方形である必要はなく、上部から前後方向にそれぞれ突出する係止部７ａ，８ａが形成されると共に、下部からは互いに向かい合う左右の方向に突出する支持部７ｂ，８ｂが形成されていればよい。そして、係止部７ａ，８ａは、タイトフレーム２の山部２ａに係止するために、この山部２ａの平坦部等の構成に対応した適宜構造のものでよく、支持部７ｂ，８ｂも、透光不燃板６を支持するために、例えば適所に数箇所のみ突出させる等の適宜構造のものでよい。しかも、これらの左側受材７と右側受材８は、板状である必要もなく、例えば細長い金属板や金属棒を方形の縁部にのみ配置したりトラス構造状に配置したものであってもよい。
【００３４】
前後受材９は、左右方向の長さが上記左側受材７と右側受材８との間隔とほぼ等しい方形の金属板を、開口部が下方に向く横断面コの字形状に折り曲げたものであり、前側の下部をさらに前方に直角に折り曲げて突出させると共に、後側の下部をさらに後方に直角に折り曲げて突出させることによりそれぞれ支持部９ａが形成されている。前後の支持部９ａは、後方の透光不燃板６の後の端部と前方の透光不燃板６の前の端部をそれぞれ支持するものである。この前後受材９は、母屋材１における上記左側受材７と右側受材８との間の左右位置に、この母屋材１の上を前後に跨ぐように載置されて溶接等によって固着される。
【００３５】
上記前後受材９は、母屋材１の上を前後に跨ぐように配置されるものであれば、必ずしも方形の金属板を横断面コの字形状に折り曲げたものには限らず、例えば細長い金属板や金属棒を用いて母屋材１の上を前後に跨ぐように配置することができるように構成した金属製の枠体等であってもよい。また、支持部９ａも、前後受材９の前後に跨いだ下部から前後に突出するものであれば、例えば適所に数箇所のみ突出させる等の適宜構造のものでよい。さらに、前後受材９は、透光不燃板６を前後で支持するものであるから、透光不燃板６の支持は左右の左側受材７と右側受材８だけに任せて、この前後受材９の使用を省略することもできる。
【００３６】
前後ジョイント受材１０は、左右方向の長さが上記左側受材７と右側受材８との間隔とほぼ等しい左右に長尺な金属材からなる。また、この左右に長尺な横断面が逆Ｔ字形状であるため、この逆Ｔ字形状による下部の水平部が前後方向にそれぞれ突出する支持部１０ａとなる。この前後ジョイント受材１０は、２枚の透光不燃板６の間に配置して、前後の支持部１０ａによりこれらの透光不燃板６の前後で隣り合う側の端部を支持するものである。
【００３７】
上記前後ジョイント受材１０は、必ずしも横断面が逆Ｔ字形状である必要はなく、例えば単に左右に細長い水平な金属板であってもよい。この場合、金属板の前方側と後方側がそれぞれ支持部１０ａとなる。また、前後ジョイント受材１０は、２枚の透光不燃板６の隣り合う側の端部を支持するものであるから、この前後ジョイント受材１０の使用を省略することもでき、特に透光不燃板６が前後に２枚に分割されることなく、１枚ものの網入りガラスである場合には、使用の必要がない。
【００３８】
〔透光不燃板の施工手順〕
上記透光不燃板６と受材７〜１０の施工手順の一例を図３〜図８に基づいて説明する。
【００３９】
図３に示すように、各母屋材１には、まず前後受材９を載置して固着する。そして、図４に示すように、この前後受材９を固着した母屋材１の上にタイトフレーム２を載置して、このタイトフレーム２の谷部を前後受材９や母屋材１に固着する。なお、タイトフレーム２と前後受材９は、通常は溶接によって固着されるが、この固着手段は任意であり、例えばねじ止めによってタイトフレーム２と前後受材９を一括して母屋材１に固着することもできる。
【００４０】
上記のようにして２本の母屋材１の上に固着した前後のタイトフレーム２の各山部２ａの間には、図５に示すように、左側受材７と右側受材８が係止される。即ち、左側受材７は、前後の係止部７ａをそれぞれ前後のタイトフレーム２の左側の山部２ａに形成された平坦部に載置すると共に、右側受材８は、前後の係止部８ａをそれぞれ前後のタイトフレーム２の右側の山部２ａに形成された平坦部に載置することにより、これら前後のタイトフレーム２の間に架け渡すように配置される。また、この際、左側受材７と右側受材８の支持部７ｂ，８ｂの前後の端部は、前後受材９の支持部９ａの左右の端部と重なるので、この部分をリベットでかしめることにより固着する。なお、この支持部７ｂ，８ｂと支持部９ａの固着手段は、リベットには限定されず、また、必ずしも固着する必要もない。
【００４１】
図６に示すように、上記左側受材７と右側受材８の間の前後の中央部には、前後ジョイント受材１０が係止される。即ち、この前後ジョイント受材１０は、左の端部を左側受材７の支持部７ｂに載置して、この支持部７ｂと前後ジョイント受材１０の支持部１０ａとをリベットでかしめると共に、右の端部を右側受材８の支持部８ｂに載置して、この支持部８ｂと前後ジョイント受材１０の支持部１０ａとをリベットでかしめることにより固着する。なお、この前後ジョイント受材１０の固着手段は、リベットに限らず任意であり、固着することなく、単に前後ジョイント受材１０を載置するだけでもよい。
【００４２】
上記により、左側受材７と右側受材８との間は、これら左側受材７と右側受材８の支持部７ｂ，８ｂと、前後受材９の支持部９ａと、前後ジョイント受材１０の支持部１０ａとによって四方を囲まれた前後２箇所の領域が形成される。そして、図７に示すように、これら左側受材７と右側受材８との間の２箇所の領域に透光不燃板６がそれぞれ載置される。また、これら２枚の透光不燃板６は、それぞれ四隅の支持部７ｂ，８ｂ，９ａ，１０ａとの境界付近にコーキング剤を塗布することにより止め付ける。なお、このコーキング剤の塗布に代えて、予め支持部７ｂ，８ｂ，９ａ，１０ａ上にパッキン剤を塗布しておき、この上に透光不燃板６を載置することにより止め付けてもよい。ただし、透光不燃板６は、これらの支持部７ｂ，８ｂ，９ａ，１０ａに支持されていればよく、水密構造は特に必要ないので、振動等の心配がなければ、コーキング剤やパッキン剤等は不要である。
【００４３】
上記では２本の母屋材１の間の施工手順を示したが、さらに多数の母屋材１の上に樹脂折板屋根材４を架け渡す場合には、図８に示すように、これらの母屋材１のそれぞれの間に、上記と同様に受材７〜１０と透光不燃板６を取り付ける。この際、タイトフレーム２の山部２ａの平坦部上には、前後の左側受材７や右側受材８の係止部７ａ，８ａが２枚重なって載置される。そして、これら２枚の係止部７ａ，８ａの孔を通して山部２ａの平坦部に穿設したねじ孔にボルト１１を螺着することにより、左側受材７と右側受材８が前後のタイトフレーム２の山部２ａに係止固定される。また、前後の端の母屋材１の上に固着したタイトフレーム２の場合や、２本の母屋材１の上にのみ樹脂折板屋根材４を架け渡す場合には、このタイトフレーム２の山部２ａの平坦部上には１枚の係止部７ａ又は係止部８ａのみが載置されるが、これらの場合も同様にボルト１１を螺着することにより係止固定する。なお、これら左側受材７と右側受材８の係止部７ａ，８ａの係止手段は任意であり、ボルト１１以外の係止手段によって係止してもよく、タイトフレーム２の山部２ａの平坦部以外に係止することもできる。
【００４４】
上記のようにして受材７〜１０による透光不燃板６の支持が完了すると、２本以上の母屋材１の上に１枚の樹脂折板屋根材４とその左右に複数枚の金属折板屋根材３が載置され、図１に示すように、これらの金属折板屋根材３や樹脂折板屋根材４の端部を吊子５を介してかしめて連結することにより、折板屋根の施工が完了する。ただし、吊子５は、上記ボルト１１によってタイトフレーム２の山部２ａの平坦部に固着するので、実際には、この山部２ａの平坦部には、左側受材７や右側受材８の係止部７ａ，８ａだけでなく、この吊子５の下端部も載置され、ボルト１１によってまとめて固着される。
【００４５】
上記構成により、左側受材７や右側受材８等の受材７〜１０を用いて透光不燃板６を樹脂折板屋根材４の下方に支持することができるので、飛び火によって合成樹脂からなる樹脂折板屋根材４に孔があいても、この孔を通り抜けた飛び火や溶融した樹脂が屋内に入るのを不燃材料からなる透光不燃板６によって確実に防ぐことができ、防火安全性を確保することができる。例えば、透光不燃板６として網入りガラスを用い受材７〜１０として鋼板を用いた場合には、建築基準法第２条第７号の耐火構造に該当し、透光不燃板６と受材７〜１０がその他の材料も、少なくとも同条第９号の不燃材料に該当する。
【００４６】
しかも、樹脂折板屋根材４は、金属折板屋根材３と共に取り付けた樹脂折板屋根材４の下方に配置されるので、水密構造を考慮する必要がなく、受材７〜１０による簡単な構造で施工も容易となる。
【００４７】
また、透光不燃板６は、左側受材７や右側受材８の支持部７ｂ，８ｂだけでなく、前後受材９の支持部９ａによっても確実に支持される。さらに、この透光不燃板６は、前後に２分割されて、分割部が前後ジョイント受材１０の支持部１０ａで支持されるので、網入りガラスのサイズを小さくして安定して支持することができるようになる。さらに、この透光不燃板６は、網入りガラスからなるので、透光性は有するものの不透明な他の透光不燃材よりも光透過率が高くなり、樹脂折板屋根材４から入り込んだ光を効率良く屋内に取り込むことができる。しかも、網入りガラスは、何らかの原因で破損したとしても、ガラス破片が飛散したり脱落するようなことがないので、屋根構造の安全性を向上させることもできる。
【００４８】
〔他の実施形態〕
なお、上記実施形態では、透光不燃板６を前後に２分割した場合を示したが、前後に分割するかどうかは透光不燃板６のサイズ等に応じて任意に決めることができる。そして、透光不燃板６を前後に分割しなかった場合には、前後ジョイント受材１０も不要となる。しかも、透光不燃板６を前後に分割する分割数も同様に任意に決めることができ、３分割以上に分割した場合は、透光不燃板６の各分割部ごとに前後ジョイント受材１０を配置すればよい。
【００４９】
また、上記実施形態では、透光不燃板６を左右には分割しない場合を示したが、左右に分割するかどうかも透光不燃板６のサイズ等に応じて任意に決めることができる。そして、透光不燃板６を左右に分割した場合には、前後ジョイント受材１０と同様の構成であって前後に長尺な左右ジョイント受材を透光不燃板６の左右の分割部ごとに配置すればよい。ただし、この左右ジョイント受材は、前の端部を前方の前後受材９の後の支持部９ａに載置すると共に、後の端部を後方の前後受材９の前の支持部９ａに載置して、左右ジョイント受材の支持部と前後受材９の支持部９ａをリベットでかしめる等して係止するので、透光不燃板６を左右に分割するのは、この前後受材９を用いた場合に限る。
【００５０】
また、透光不燃板６は、図９に示すように、前後と左右の両方向に分割することもできる（図９では４分割）。この場合、前後ジョイント受材１０は、上記実施形態と同じものを用い、左右ジョイント受材１２は、２本の母屋材１の間の距離を前後の分割数分の１（図９では１／２）よりも少し短いものを前後の分割数本（図９では２本）用いる。これらの左右ジョイント受材１２は、前方の端に配置されるものは、前方の端部を前後受材９の支持部９ａに載置すると共に後方の端部を前後ジョイント受材１０の支持部１０ａに載置し、後方の端に配置されるものは、後方の端部を前後受材９の支持部９ａに載置すると共に前方の端部を前後ジョイント受材１０の支持部１０ａに載置して、支持部１２ａと支持部９ａ，１０ａをリベットでかしめる等して係止する。そして、前後に３分割以上の分割をした場合には、前後の端以外の左右ジョイント受材１２は、前後の端部を前後ジョイント受材１０の支持部１０ａに載置し、支持部１２ａと支持部１０ａをリベットでかしめる等して係止する。ただし、ここでは左右ジョイント受材１２を複数本に分割する場合を示したが、これに代えて前後ジョイント受材１０を複数本に分割することもできる。
【００５１】
また、上記実施形態では、透光不燃板６が方形の網入りガラスである場合を示したが、透光性を有する不燃材料からなる透光不燃材であればよいので、網入りガラスのような板状のものに限らず、例えばシート状のものであってもよく、形状も設置箇所に応じて任意である。さらに、このような透光性の不燃材料としては、他にはガラス繊維シートや不燃紙等を用いることもできる。しかも、素材自体は透光性を有さないものであっても、金属メッシュシートやエキスパンドメタル、パンチングメタル等のように多数の隙間や透孔を有することによって透光性を有するようになったものであってもよい。ただし、素材自体は透光性を有さないが、多数の隙間や透孔を有する金属メッシュシートやエキスパンドメタル、パンチングメタル等を用いる場合には、これらの隙間や透孔から飛び火や溶融した樹脂が透過することがないように、素材自体がある程度の透光性を有し、たとえ隙間があったとしても極めて微細であるガラス繊維シートや不燃紙等を上下に重ね合わせたり、パンチングメタル等の透孔が大きい場合には、これらの透孔にのみガラス繊維シートや不燃紙等を貼り合わせ又は埋め込む等して、組み合わせて使用することが望ましい。
【００５２】
また、上記実施形態では、左側受材７の係止部７ａがタイトフレーム２における樹脂折板屋根材４の左端の山部２ａに係止され、右側受材８の係止部８ａがタイトフレーム２における樹脂折板屋根材４の右端の山部２ａに係止される場合を示したが、樹脂折板屋根材４の下方が透光不燃板６で覆われていればよいので、左側受材７の係止部７ａは、タイトフレーム２における樹脂折板屋根材４の左端よりも左側の山部２ａに係止し、右側受材８の係止部８ａは、タイトフレーム２における樹脂折板屋根材４の右端よりも右側の山部２ａに係止することにより、樹脂折板屋根材４の下方よりも広い範囲を透光不燃板６で覆うようにしてもよい。
【図面の簡単な説明】
【００５３】
【図１】本発明の一実施形態を示すものであって、屋根構造を示す縦断面正面図である。
【図２】本発明の一実施形態を示すものであって、屋根構造における透光不燃板の支持構造を説明するための組立斜視図である。
【図３】本発明の一実施形態を示すものであって、屋根構造の施工手順の第１工程を示す組立斜視図である。
【図４】本発明の一実施形態を示すものであって、屋根構造の施工手順の第２工程を示す組立斜視図である。
【図５】本発明の一実施形態を示すものであって、屋根構造の施工手順の第３工程を示す組立斜視図である。
【図６】本発明の一実施形態を示すものであって、屋根構造の施工手順の第４工程を示す組立斜視図である。
【図７】本発明の一実施形態を示すものであって、屋根構造の施工手順の第５工程を示す組立斜視図である。
【図８】本発明の一実施形態を示すものであって、屋根構造の施工手順の第２工程を示す組立斜視図である。
【図９】本発明の一実施形態を示すものであって、他の屋根構造の施工手順の第２工程を示す組立斜視図である。
【符号の説明】
【００５４】
１    母屋材
２    タイトフレーム
２ａ  山部
３    金属折板屋根材
４    樹脂折板屋根材
５    吊子
６    透光不燃板
７    左側受材
７ａ  係止部
７ｂ  支持部
８    右側受材
８ａ  係止部
８ｂ  支持部
９    前後受材
９ａ  支持部
１０    前後ジョイント受材
１０ａ  支持部
１１    ボルト
１２    左右ジョイント受材
１２ａ  支持部
【図１】
0005166911.tif 000002
【図２】
0005166911.tif 000003
【図３】
0005166911.tif 000004
【図４】
0005166911.tif 000005
【図５】
0005166911.tif 000006
【図６】
0005166911.tif 000007
【図７】
0005166911.tif 000008
【図８】
0005166911.tif 000009
【図９】
0005166911.tif 000010